(57)【要約】【課題】パネルを構成する部材に特別な端面処理を施すことなく、安全性と意匠性を兼ね備えた、空調室内機のパネルを提供する。【解決手段】空調室内機１の可動パネル３１では、第２パネル部材３１２側の端部に第１パネル部材３１１の端面が嵌まり込む溝３１２ａが形成されている。第１パネル部材３１１の端面は溝３１２ａで覆われて隠れるので、人目に付くことがなく、人手に触れることもない。その結果、可動パネル３１の生産工程において、組立作業者は、プレス加工された第１パネル３１１を、面取りやヘミングなどの端面処理を行うことなく組立工程へ搬送することができるので経済的である。【選択図】図５
2011149617.tif 000002
【特許請求の範囲】
【請求項１】
積層構造を有し、空調室内機の本体に装着されるパネルであって、
前記積層構造の１つの層を形成する金属製の第１パネル部材（３１１）と、
前記積層構造の他の層を形成する樹脂製の第２パネル部材（３１２）と、
を備え、
前記第２パネル部材（３１２）は、前記第１パネル部材（３１１）の端面が嵌まり込む溝（３１２ａ）を有している、
空調室内機のパネル（３１）。
【請求項２】
前記第１パネル部材（３１１）は、少なくとも１つの前記端面の所定位置から突出する爪部（３１１ａ）を有し、
前記第２パネル部材（３１２）の前記溝（３１２ａ）に、前記爪部（３１１ａ）が挿入される孔（３１２ｂ）が設けられている、
請求項１に記載の空調室内機のパネル（３１）。
【請求項３】
前記爪部（３１１ａ）は、前記孔（３１２ｂ）に挿入された後に折り曲げられる、
請求項２に記載の空調室内機のパネル（３１）。
【請求項４】
前記第１パネル部材（３１１）の各端面は、前記第１パネル部材（３１１）と前記第２パネル部材（３１２）との積層方向に向き、
前記第２パネル部材（３１２）の前記溝（３１２ａ）は、前記積層方向に窪んでいる、
請求項１から請求項３のいずれか１項に記載の空調室内機のパネル（３１）。
【請求項５】
前記第１パネル部材（３１１）がアルミニウム合金製である、
請求項１から請求項４のいずれか１項に記載の空調室内機のパネル（３１）。
【発明の詳細な説明】
【技術分野】
【０００１】
本発明は、空調室内機のパネルに関し、特に、異種材料が張り合わされた多層構造を有するパネルに関する。
【背景技術】
【０００２】
従来、空調室内機のパネルのような人目に付く部分は、意匠性を向上させる目的でパネルの外側に補助プレートが張り合わされる構造が採用されている。例えば、特許文献１（特開２００３−１４２４９号公報の段落[０１１３]及び図２）では、空調室内機に上品なイメージを与えるため、パネルのメインプレート前面に多様な模様を包含する補助プレートが装着されている。
【発明の概要】
【発明が解決しようとする課題】
【０００３】
上記のようなパネルでは、メインプレートと補助プレートとが異種材料で構成されることがあり、特に、外側の補助プレートが金属製プレートの場合には消費者の美感への訴求力が向上する。
【０００４】
しかしながら、金属製プレートを使用する場合、安全性を確保するためにヘミングなどの端面処理を行う必要があり、コスト増大の要因となっている。
【０００５】
本発明の課題は、パネルを構成する部材に特別な端面処理を施すことなく、安全性と意匠性を兼ね備えた、空調室内機のパネルを提供することにある。
【課題を解決するための手段】
【０００６】
本発明の第１観点に係る空調室内機のパネルは、積層構造を有し空調室内機の本体に装着されるパネルであって、第１パネル部材と第２パネル部材とを備えている。第１パネル部材は、積層構造の１つの層を形成する金属製のパネル部材である。第２パネル部材は、積層構造の他の層を形成する樹脂製のパネル部材である。また、第２パネル部材は、第１パネル部材の端面が嵌まり込む溝を有している。
【０００７】
このパネルでは、第１パネル部材の端面が溝で覆われて隠れるので、特殊な端面処理が施されなくても、人手に触れることがないので安全で、且つ人目に付かないので意匠性を損なうことがない。
【０００８】
本発明の第２観点に係る空調室内機のパネルは、第１観点に係る空調室内機のパネルであって、第１パネル部材が、少なくとも１つの端面の所定位置から突出する爪部を有している。第２パネル部材の溝には、爪部が挿入される孔が設けられている。
【０００９】
このパネルでは、爪部と孔との嵌合によって、第１パネル部材と第２パネル部材とが機械的に連結され、外れ難い構造となるので、落下を招くような不安全状態が防止される。
【００１０】
本発明の第３観点に係る空調室内機のパネルは、第２観点に係る空調室内機のパネルであって、爪部が、孔に挿入された後に折り曲げられる。
【００１１】
このパネルでは、第１パネル部材を第２パネル部材から引き離すような外力が作用しても、爪部と孔とが干渉するので第１パネル部材が第２パネル部材から離れて落下することはない。
【００１２】
本発明の第４観点に係る空調室内機のパネルは、第１観点から第３観点のいずれか１つに係る空調室内機のパネルであって、第１パネル部材の各端面が、第１パネル部材と第２パネル部材との積層方向に向いている。第２パネル部材の溝は、積層方向に窪んでいる。
【００１３】
このパネルでは、第１パネル部材を第２パネル部材に向かって単純に重ね合わせるだけで、第１パネル部材の各端部が第２パネル部材の溝に納まるので、作業性がよい。
【００１４】
本発明の第５観点に係る空調室内機のパネルは、第１観点から第４観点のいずれか１つに係る空調室内機のパネルであって、第１パネル部材がアルミニウム合金製である。このパネルでは、アルミニウム合金製の第１パネル部材は耐食性があるので、長期使用に適している。
【発明の効果】
【００１５】
本発明の第１観点に係る空調室内機のパネルでは、第１パネル部材の端面が溝で覆われて隠れるので、特殊な端面処理が施されなくても、人手に触れることがないので安全で、且つ人目に付かないので意匠性を損なうことがない。
【００１６】
本発明の第２観点に係る空調室内機のパネルでは、爪部と孔との嵌合によって、第１パネル部材と第２パネル部材とが機械的に連結され、外れ難い構造となるので、落下を招くような不安全状態が防止される。
【００１７】
本発明の第３観点に係る空調室内機のパネルでは、第１パネル部材を第２パネル部材から引き離すような外力が作用しても、爪部と孔とが干渉するので第１パネル部材が第２パネル部材から離れて落下することはない。
【００１８】
本発明の第４観点に係る空調室内機のパネルでは、第１パネル部材を第２パネル部材に向かって単純に重ね合わせるだけで、第１パネル部材の各端部が第２パネル部材の溝に納まるので、作業性がよい。
【００１９】
本発明の第５観点に係る空調室内機のパネルでは、アルミニウム合金製の第１パネル部材は耐食性があるので、長期使用に適している。
【図面の簡単な説明】
【００２０】
【図１】運転停止中の空調室内機の斜視図。
【図２】運転中の空調室内機の斜視図。
【図３】空調室内機の断面図。
【図４】パネルの分解斜視図。
【図５】パネル端部の拡大断面図。
【図６】パネルの長手方向中央の端部の拡大断面図。
【発明を実施するための形態】
【００２１】
以下、図面を参照しながら、本発明の一実施形態について説明する。なお、以下の実施形態は、本発明の具体例であって、本発明の技術的範囲を限定するものではない。
【００２２】
＜空調室内機１の構成＞
図１は、運転停止中の空調室内機の斜視図である。また、図２は、運転中の空調室内機の斜視図である。図１及び図２において、空調室内機１は壁掛けタイプであり、その本体２０には、外郭を形成する部材として、ケーシング１０、側面部材２４、可動パネル３１が搭載されている。
【００２３】
図３は、空調室内機の断面図である。ケーシング１０は、前面部１０１と上面部１０２と下面部１０３とによって略長方形状の立体空間を形成し、その立体空間内にフレーム１１、室内熱交換器１２、ファン１３、及びフィルタ２１が収まっている。また、上面部１０２には、複数のスリットから成る吸込口１８（図１，２参照）が設けられている。さらに、前面部１０１の下部から下面部１０３の前部にかけて、吹出口１９（図２参照）が設けられている。
【００２４】
室内熱交換器１２及びファン１３は、フレーム１１に取り付けられている。室内熱交換器１２は、通過する空気との間で熱交換を行う。ファン１３は、吸込口１８から取り込んだ空気を、室内熱交換器１２に当てて通過させた後、吹出口１９に吹き出す。吹出口１９には、吹き出される空気を案内する水平フラップ（図示せず）が設けられる。水平フラップは、モータ１７１によって駆動し、空気の吹出方向を変更するだけでなく、下面部１０３側の吹出口１９を開閉することもできる。
【００２５】
ケーシング１０の前面部１０１及び上面部１０２と、室内熱交換器１２との間にはフィルタ２１が配置されている。フィルタ２１は、室内熱交換器１２に向って流入してくる空気に含まれる塵埃を除去する。
【００２６】
図１及び図２に示すように、側面部材２４は、ケーシング１０の側方を覆うように取り付けられており、ケーシング１０の側面視における外観を担っている。
【００２７】
（可動パネル３１）
図１及び図２において、可動パネル３１は、平坦な形状を成す正面部３１ａと、正面部３１ａの両端から後方に連続して形成される側面部３１ｂとによって、独特の意匠を創り出している。なお、正面部３１ａと側面部３１ｂとは一体的に形成される。正面部３１ａは、ケーシング１０の前面部１０１の全部を覆い、側面部３１ｂは、側面部材２４の前半分を覆う。
【００２８】
図１に示すように、空調室内機１が運転を停止しているときは、空調室内機１の前面外観を可動パネル３１の正面部３１ａが担い、側面外観を可動パネル３１の側面部３１ｂと側面部材２４とが担う。
【００２９】
図２に示すように、空調室内機１が運転しているとき、可動パネル３１は、運転停止時に比べてケーシング１０の前面部１０１から離れた位置に移動し、且つ傾斜している。したがって、ケーシング１０の前面部１０１側の吸込口１８および吹出口１９が開放される。
【００３０】
また、可動パネル３１は積層構造を有しており、外観を担う外側には意匠性を重視した第１パネル部材３１１が配置され、内側には第１パネル部材３１１を支える第２パネル部材３１２が配置されている。
【００３１】
図４は、パネルの分解斜視図である。図４において、第１パネル部材３１１はアルミニウム合金製であり、第２パネル部材３１２はＡＢＳ樹脂製である。なお、第１パネル部材３１１の材質は、アルミニウム合金に限られているものではなく、ステンレスなど他の金属であってもよい。本実施形態では、アルミニウム合金が軽くて耐食性があり長期使用に適しているので、第１パネル部材３１１の材料として採用している。
【００３２】
図５は、パネル端部の拡大断面図である。図５において、第１パネル部材３１１と第２パネル部材３１２とは同様の形状であるが、第２パネル部材３１２の各辺の端部が正面方向に反り返るように湾曲して溝３１２ａを形成している。この溝３１２ａに、第１パネル部材３１１の端面が嵌まり込んでいる。
【００３３】
第１パネル部材３１１は、金属製の板材からプレス加工によって成形されるので、通常ならば、面取りやヘミングなどの端面処理が行われて安全性と端面の美しさが確保されるが、第１パネル部材３１１の端面は溝３１２ａで覆われて隠れるので、人目に触れることも、人手に触れられることもない。したがって、端面処理が不要である。
【００３４】
図６は、パネルの長手方向中央の端部の拡大断面図である。図６において、第１パネル部材３１１は、端面から突出する爪３１１ａを有している。本実施形態では、第１パネル部材３１１の上辺側および下辺側それぞれの端面に３つの爪３１１ａが等間隔に配置される。爪３１１ａの突出長さは、第２パネル部材３１２の厚みよりも長い。
【００３５】
第２パネル部材３１２の溝３１２ａには、爪３１１ａが挿入される貫通孔３１２ｂが設けられている。爪３１１ａは、溝３１２ａの貫通孔３１２ｂを通って突き出るので、突き出た部分は折り曲げられる。このため、第１パネル部材３１１を第２パネル部材３１２から引き離すような外力が作用しても、爪３１１ａと貫通孔３１２ｂとが干渉するので第１パネル部材３１１が第２パネル部材３１２から離れて落下することはない。
【００３６】
なお、第１パネル部材３１１の各端面は、第１パネル部材３１１と第２パネル部材３１２との積層方向に向き、第２パネル部材３１２の溝３１２ａの窪み方向も積層方向に向いている。可動パネル３１の組立作業者は、第１パネル部材３１１を第２パネル部材３１２に向かって単純に重ね合わせるだけで、第１パネル部材３１１の各端面が第２パネル部材の溝３１２ａに納まるので、作業性がよい。
【００３７】
＜特徴＞
空調室内機１の可動パネル３１では、第２パネル部材３１２側の端部に第１パネル部材３１１の端面が嵌まり込む溝３１２ａが形成されている。第１パネル部材３１１の端面は溝３１２ａで覆われて隠れるので、人目に付くことがなく、人手に触れることもない。その結果、可動パネル３１の生産工程において、組立作業者は、プレス加工された第１パネル部材３１１を、面取りやヘミングなどの端面処理を行うことなく組立工程へ搬送することができるので経済的である。
【００３８】
＜その他の実施形態＞
上記実施形態では、可動パネル３１は、第１パネル部材３１１と第２パネル部材３１２との２層構造であるが、これに限らず、第１パネル部材３１１と第２パネル部材３１２との間に補助パネル部材を配置した、３層以上の構造が採用されてもよい。
【産業上の利用可能性】
【００３９】
以上のように、本発明によれば、金属製のパネル部材を人目に触れる側のパネル部材として用いる場合でも端面処理を行う必要がないので、製造コストが低く抑えられるというメリットがあり、空調室内機に限らず、機器の外観を担うパネルに有用である。
【符号の説明】
【００４０】
３１  パネル
３１１  第１パネル部材
３１１ａ  爪
３１２  第２パネル部材
３１２ａ  溝
３１２ｂ  貫通孔
【先行技術文献】
【特許文献】
【００４１】
【特許文献１】特開２００３−１４２４９号公報
【図１】
2011149617.tif 000003
【図２】
2011149617.tif 000004
【図３】
2011149617.tif 000005
【図４】
2011149617.tif 000006
【図５】
2011149617.tif 000007
【図６】
2011149617.tif 000008